(57)【特許請求の範囲】
【請求項１】
上部に、設置壁面への取付け部が設けられ、内部に送風機２７を設けた送風機ボックス２と、
前記送風機ボックス２の下部に連結されたフード体1を備え、前記送風機２７を駆動することでフード体１内の空気を吸い込んで屋外に排気するレンジフードにおいて、
前記送風機ボックス２とフード体１は、そのフード体１の背面部が送風機ボックス２の背面部よりも後方に張り出しできると共に、その張り出し量を調整できるように、連結手段４により前後方向に位置調整自在に連結され、
このフード体1の背面部を、前記設置壁面に接するように取付けることを特徴とするレンジフード。
【請求項２】
送風機ボックス２に設けられ前後方向の長孔３１を有した取付片３０と、この長孔３１を挿通して取付片３０をフード体１の天板１０に固定する連結具とで連結手段４とした請求項１記載のレンジフード。
【請求項３】
フード体１と送風機ボックス２に亘って、当該フード体１を送風機ボックス２に対して前後方向に移動する移動手段６を設けた請求項１又は２記載のレンジフード。
【発明の詳細な説明】
【技術分野】
【０００１】
本発明は、調理器の上方に取付けられ、調理時に発生した汚染空気を捕獲して室外に排気するレンジフードに関する。
【背景技術】
【０００２】
レンジフードとしては、フードと、このフード内の空気を吸い込み屋外に排気する送風機を備え、そのフードの背面を調理室の壁面に接した状態で、ねじで固定して取付けるものが知られている。
例えば、特許文献１に示すように、フード体と、このフード体の天板部に取付けた送風機ボックスとで薄型フードと呼ばれるフードとし、その送風機ボックス内に送風機を設け、このフード体の背面と送風機ボックスの背面を壁面に接した状態でねじで固定して取付けるようにしたレンジフードが提案されている。
【０００３】
【特許文献１】特開２００５−９８６１８号公報
【発明の開示】
【発明が解決しようとする課題】
【０００４】
前述のように、フードの背面を壁面に接した状態で、ねじで固定して取付けるようにしたレンジフードにおいては、壁面に取付けたフードが水平な姿勢にならずに、前端部が垂れ下がった下向き斜めの姿勢となることがある。
例えば、フードを取付けた設置壁面にレンジフードの荷重により歪みが生じて垂直でなくなり、フードの下向き斜めの姿勢となることがある。
また、取付けた状態でフード自体が下向きに撓み変形し、下向き斜めの姿勢となることがある。
【０００５】
特に、前述した薄型フードと呼ばれるフードを備えたレンジフードの場合には、フード体が偏平形状であると共に、その前端部が送風機ボックスよりも前方に張り出しているので、前述のように下向きに撓み変形しやすいので、フードが下向き斜めの姿勢となりやすい。
【０００６】
前述のように、フードが水平な姿勢とならずに下向き斜めの姿勢であると、次のような問題が生じる。
第１の問題は、レンジフードをキッチンキャビネットに組み込んで取付けるシステムキッチンの場合に、フードの左右側方に設置されるキッチンキャビネットの下面とフード下面に段差が生じて見栄えが悪くなり、システムキッチンの外観を損ねてしまうということである。
第２の問題は、フードの側方にキッチンキャビネットが存在しないように設置する場合でも、フードが下向き斜めの姿勢であることで見栄えが悪く、システムキッチン全体の美観を損ねてしまう恐れがあることである。
第３の問題は、フード内部、あるいはフィルタに付着した油分を、内部に設けられた傾斜により、オイルパックに回収するようにしたレンジフードにおいては、フードが水平な姿勢であることを前提として回収した油分の流れ等を設計しているので、フードが下向き斜めの姿勢で水平度が乱れることで、設計通りに油分を回収できないことである。
【０００７】
本発明の目的は、設置壁面にレンジフードの荷重で歪み変形が生じた場合でも、取付けた状態でフード自体が下向きに撓み変形した場合でも、フードを水平な姿勢として正しく取付けできるようにしたレンジフードを提供することである。
【課題を解決するための手段】
【０００８】
本発明のレンジフードは、上部に、設置壁面への取付け部が設けられ、内部に送風機２７を設けた送風機ボックス２と、
前記送風機ボックス２の下部に連結されたフード体1を備え、前記送風機２７を駆動することでフード体１内の空気を吸い込んで屋外に排気するレンジフードにおいて、
前記送風機ボックス２とフード体１は、そのフード体１の背面部が送風機ボックス２の背面部よりも後方に張り出しできると共に、その張り出し量を調整できるように、連結手段４により前後方向に位置調整自在に連結され、
このフード体1の背面部を、前記設置壁面に接するように取付けることを特徴とするレンジフードである。
【０００９】
このレンジフードにおいては、送風機ボックス２に設けられ前後方向の長孔３１を有した取付片３０と、この長孔３１を挿通して取付片３０をフード体１の天板１０に固定する連結具とで連結手段４とすることができる。
【００１０】
このようにすれば、連結具によってフード体１を送風機ボックス２に弛く連結することで、その連結具が取付片３０の長孔３１に沿って前後方向にスライドできるから、フード体１を前後移動可能に仮連結することができる。
したがって、送風機ボックス２の上部を設置壁面に固定した状態で、フード体１を送風機ボックス２に対して前後に移動してフード体１を水平の姿勢とし、その後に連結具で取付片３０を強く天板１０に連結することでフード体１と送風機ボックス２を前後方向に動かないように連結できる。
【００１１】
前述のレンジフードにおいては、フード体１と送風機ボックス２に亘って、当該フード体１を送風機ボックス２に対して前後方向に移動する移動手段６を設けることができる。
【００１２】
このようにすれば、送風機ボックス２に対してフード体１を移動手段６で前後方向に移動することができる。
【００１３】
前述の移動手段６としては、送風機ボックス２に設けた移動用ボルト５１をフード体１のブラケット５０の孔に挿入し、ナット５２を螺合し、そのナット５２を締め付けることでフード体１が送風機ボックス２に対して後方に移動するものがある。
【００１４】
前記移動手段６としては、フード体１に螺合した移動用ボルト５４を送風機ボックス２に接し、その移動用ボルト５４を締め付けることで、フード体１が送風機ボックス２に対して前方に移動するものがある。
【００１５】
前記移動手段６としては、フード体１の天板１０に回動自在に取付けた回転部材６０を、送風機ボックス２の前面板２１に接し、その回転部材６０を回転することでフード体１が送風機ボックス２に対して前方に移動するものがある。
【発明の効果】
【００１７】
請求項１に係る発明によれば、送風機ボックス２の上部を設置壁面に固定し、フード体１の背面部を設置壁面に接して仮取付け、この状態でフード体１を送風機ボックス２に対して前後に移動して上下に傾動することでフード体１を水平な姿勢とすることができる。
したがって、設置壁面にレンジフードの荷重で歪み変形が生じた場合でも、取付け状態でフード自体が下向きに撓み変形した場合でも、フードを水平な姿勢として正しく取付けできる。
【発明を実施するための最良の形態】
【００１９】
本発明の実施の形態を図１〜図４に基づいて説明する。
フード体１と送風機ボックス２でフード３としてある。
前記フード体１は天板１０、前面板１１、背面板１２、左右の側面板１３、下面板１４、整流板１５を備えた偏平な形状で、天板１０に流出口１６、下面板１４に流入口１７が形成されていると共に、下面板１４と整流板１５との間に隙間１８を形成している。
前記送風機ボックス２は天板２０、前面板２１、背面板２２、左右の側面板２３、下面板２４で矩形状で、その天板２０に出口２５、下面板２４に入口２６が形成されていると共に、その内部に送風機２７を設けてある。
【００２０】
この送風機２７は、ハウジング２７ａにファン２７ｂをモータ２７ｃで回転自在に設け、ファン２７ｃを回転することで吸込口２８から空気を吸い込んで吐出口２９から吐出する。
前記送風機２７は、そのハウジング２７ａが送風機ボックス２内に取付けられ、入口２６が前記フード体１の流出口１６に連通していると共に、吐出口２９が出口２５と連通し、送風機２７を駆動することでフード体１内の空気を吸い込み、かつ図示しない排気ダクトを通して屋外に排気するようにしてある。
【００２１】
前記フード体１と送風機ボックス２は、連結手段４により前後方向（前面板１１，２１と背面板１２，２２との方向）に位置調整可能に連結され、フード体１の背面板１２（背面部）が送風機ボックス２の背面板２２（背面部）よりも後方（設置壁面側）に張り出しできると共に、その張り出し量を調整できるようにしてある。
【００２２】
例えば、送風機ボックス２の各側面板２３に取付片３０をそれぞれ設け、この各取付片３０に前後方向に向かう長孔３１を形成し、この長孔３１を挿通した連結具で取付片３０をフード体１の天板１０に固定して連結している。
前記連結具は、前記フード体１の天板１０に上向きに固定した取付用ボルト３２と、この取付用ボルト３２に螺合したナット３３を有している。
そして、前記取付用ボルト３２が前記長孔３１に挿通するように取付片３０をフード体１の天板１０に接し、その取付用ボルト３２にナット３３を螺合し、そのナット３３を締め付けることでワッシャ３４を介して取付片３０に押しつけ、フード体１と送風機ボックス２を連結する。
【００２３】
このようであるから、ナット３３を弛めることでフード１と送風機ボックス２は前後方向に移動可能に仮連結される。
この状態でフード体１を送風機ボックス２に対して前後に移動することで、その背面板１２の送風機ボックス２の背面板２２よりも後方への張り出し量を調整する。
この後に、ナット３３を締め付けることでフード１と送風機ボックス２を前後方向に動かないように連結する。
【００２４】
前記フード体１の流出口１６と送風機ボックス２の入口２６とは、そのフード体１が送風機ボックス２に対して前述のように前後方向に移動しても常時連通するようにしてある。
例えば、前記流出口１６を入口２６よりも大径として、前述のようにフード体１が送風機ボックス２に対して前後方向に移動しても流出口１６と入口２６が連通するようにしてある。
【００２５】
前記レンジフードは、図１に示すように、その送風機ボックス２の上部が固定手段５で壁面Ａに固定すると共に、フード体１の背面部（例えば、背面板１２）を前記壁面Ａに接して取付けられる。
例えば、送風機ボックス２の天板２０の背面板２２寄りに、取付け部としてのブラケット４０を固着具４１で固着し、そのブラケット４０を固着具４２で壁面Ａに固着することで固定する。
【００２６】
このようであるから、フード体１の背面板１２と送風機ボックス２の背面板２２を面一とし、その送風機ボックス２の上部を固定手段５で壁面Ａに固定し、フード体１の背面板１２を壁面Ａに接してフード３を仮取付けする。なお、ナット３３を弛めとしてフード体１が送風機ボックス２に対して前後方向に移動可能な状態で仮取付けしても良い。
この状態で壁面Ａが図５（ａ）に仮想線で示すように、レンジフードの荷重で歪み変形して垂直でなくなった場合には、図５（ａ）に示すように、フード３が下向き斜めの姿勢となる。
【００２７】
このような時には、ナット３３を弛めて送風機ボックス２に対してフード体１を矢印ａで示すように後方に移動して背面板１２を送風機ボックス２の背面板２２よりも後方に張り出す。
これにより、フード３が、送風機ボックス２の壁面Ａとの固定部分を支点として上方に傾動し、図５（ｂ）に示すようにフード３が水平な姿勢となる。
この後に、前述のナット３３を締め付けてフード体１と送風機ボックス２を前後方向に動くことがないように連結する。
【００２８】
なお、壁面Ａのレンジフードの荷重による歪み変形量は僅かであるが、図５においては本発明を理解し易いように歪み変形量を実際よりも大きく図示してある。
また、フード３自体が下向きに撓み変形して下向き斜めの姿勢となった場合も前述と同様にして水平の姿勢とすることができる。
【００２９】
前述の実施の形態では、フード体１に手を掛けて押すことで移動するようにしたが、移動手段を設け、その移動手段によりフード体１を送風機ボックス２に対して前後に移動するようにしても良い。
例えば、図６に示すように、フード体１の天板１０にブラケット５０を取付け、送風機ボックス２の前面板２１に移動用ボルト５１を前方に向けて固着して取付ける。
この移動用ボルト５１をブラケット５０の孔を挿通して前方に突出し、その突出部分にナット５２を螺合して移動手段６とする。
【００３０】
このようにすれば、ナット５２を締め付けてブラケット５０の前面５０ａに押しつけることで、フード体１が送風機ボックス２に対して矢印ａで示すように後方に向けて移動する。
【００３１】
前述の説明ではフード体１の背面板１２と送風機ボックス２の背面板２２を面一として送風機ボックス２の上部を壁面Ａに固定して取付け、フード体１を送風機ボックス２に対して後方に移動するようにしたが、次のようにしても良い。
すなわち、フード体１の背面板１２を送風機ボックス２の背面板２２よりも最も後方寄り（つまり、フード体１を送風機ボックス２に対して最も後方に移動した張り出し量が最大の状態）とし、その送風機ボックス２の上部を壁面Ａに固定して取付け、フード体１を送風機ボックス２に対して前方に移動してフード３が水平の姿勢とする。
【００３２】
例えば、図７に示すようにフード体１を送風機ボックス２に対して最も後方に移動し、そのフード体１の背面板１２の後方へ張り出し量を最大とする。
この状態で、フード体１と送風機ボックス２を前後移動可能に仮連結し、送風機ボックス２の上部を壁面Ａに固定し、フード体１の背面板１２を壁面Ａに接してレンジフードを仮取付けする。
この時、壁面Ａがレンジフードの荷重で歪み変形してもフード３は上向き斜めの姿勢となるようにする。
【００３３】
前述の状態から、フード体１を送風機ボックス２に対して矢印ｂで示すように前方（壁面Ａと離れる方向）に移動し、フード体１の背面板１２の後方への張り出し量を小さくすることで、フード３を水平の姿勢とする。
この後に、ナット３３を強く締め付けてフード体１と送風機ボックス２を前後方向に動かないように連結してレンジフードを取付ける。
【００３４】
この場合にも前述と同様にフード体１に手を掛け、そのフード体１を前方に引っ張るようにして前方に移動しても良い。
また、移動手段６によりフード体１を送風機ボックス２に対して前方に移動するようにしても良い。
例えば、図８に示すようにフード体１の天板１０に固定したブラケット５３に移動用ボルト５４を前後方向に向けて螺合し、その移動用ボルト５４の先端部を送風機ボックス２の前面板２１に当接、又は前面板２１に固定したプレート５５に当接することで移動手段６とする。
【００３５】
このようにすれば、移動用ボルト５４を締め付けてブラケット５３よりも後方に突出することで、フード体１が送風機ボックス２に対して前方（矢印ｂ）に移動する。
【００３６】
前述の移動手段６はボルトを用いたものに限ることはなく、図９に示すようにフード体１に前後方向に回転自在に取付けた回転部材６０を、送風機ボックス２の前面板２１に接し、その回転部材６０に手の指を掛けて後方に向けて回動することでフード体１を送風機ボックス２に対して前方に移動するようにしても良い。
例えば、前述の連結手段４の連結具を、取付片３０の長孔３１からフード体１の天板１０に螺合した連結ボルト３５とし、この連結ボルト３５を回転部材６０の孔を通して長孔３１からフード体１の天板１０に螺合する。
そして、連結ボルト３５を弛めることで回転部材６０の指掛け片６１に指を掛けて矢印ｃ方向に回動してフード体１を送風機ボックス２に対して矢印ｂで示す前方に向けて移動する。
【図面の簡単な説明】
【００４１】
【図１】本発明の実施の形態を示す側面図である。
【図２】本発明の実施の形態を示す平面図である。
【図３】図２のＢ−Ｂ断面図である。
【図４】フード体と送風機ボックスの分解斜視図である。
【図５】取付け動作説明図である。
【図６】移動手段を備えたレンジフードの斜視図である。
【図７】異なる取付け方の説明図である。
【図８】移動手段を備えたレンジフードの斜視図である。
【図９】他の移動手段を備えたレンジフードの斜視図である。
【符号の説明】
【００４２】
１…フード体、２…送風機ボックス、３…フード、４…連結手段、５…固定手段、６…移動手段、１０…天板、１２…背面板（背面部）、２０…天板、２２…背面板（背面部）、３０…取付片、３１…長孔、３２…ボルト、３３…ナット、３５…連結ボルト、４０…ブラケット（取付け部）、５０…ブラケット、５１…移動用ボルト、５２…ナット、５３…ブラケット、５４…移動用ボルト、６０…回転部材。
【図１】
0004974289.tif 000002
【図２】
0004974289.tif 000003
【図３】
0004974289.tif 000004
【図４】
0004974289.tif 000005
【図５】
0004974289.tif 000006
【図６】
0004974289.tif 000007
【図７】
0004974289.tif 000008
【図８】
0004974289.tif 000009
【図９】
0004974289.tif 000010